(57)【要約】【課題】和瓦や洋瓦などの焼き瓦を叩き割ることなく、瓦屋根から容易に引き抜くことができる瓦引抜き工具及び瓦の引抜き方法を提供する。【解決手段】裏面に下方に突出する爪を有する瓦を桟８１に釘打ちして葺き重ねた瓦屋根から引抜くべき瓦の下部から瓦の裏面に沿って挿入され先端で瓦の爪を砕く突出先端１０を有する棒状の打砕き部材１と、爪が砕かれた瓦の下部から瓦の裏面に沿って挿入され瓦を桟８１に固定する瓦釘を瓦の裏面側で切断する切断部材２と、からなる。【選択図】図１
2007255077.tif 000002
【特許請求の範囲】
【請求項１】
裏面に下方に突出する爪を有する瓦を桟に釘打ちして葺き重ねた瓦屋根から引抜くべき瓦の下部から該瓦の裏面に沿って挿入され先端で該瓦の爪を砕く突出先端を有する棒状の打砕き部材と、
前記瓦の下部から該瓦の裏面に沿って挿入され該瓦を該桟に固定する瓦釘を該瓦の裏面側で切断する切断部材と、
からなることを特徴とする瓦引抜き工具。
【請求項２】
前記打砕き部材は、突出先端を有する棒状本体部と該棒状本体部の後端部に設けられ該棒状本体部に対して突出先端の方向へ強圧を加える強圧部とからなる請求項１記載の瓦引抜き工具。
【請求項３】
前記打砕き部材の前記突出先端は前記棒状本体部と交差する方向に延びる平刃である請求項１又は２に記載の瓦引抜き工具。
【請求項４】
前記打砕き部材の前記棒状本体部は、前記突出先端が上方に傾斜している請求項２または請求項３に記載の瓦引抜き工具。
【請求項５】
前記切断部材は先端部に金切り刃を有する棒状である請求項１乃至４に記載の瓦引抜き工具。
【請求項６】
前記切断部材は棒状の本体部と該本体部の先端に固定された側面側に鋸状の前記金切り刃を有する帯鋼刃部とからなる請求項５記載の瓦引抜き工具。
【請求項７】
前記切断部材の前記本体部の先端部は、前記帯鋼刃部の後端部を収納する収納凹部と、該収納凹部に収納された該帯鋼刃部の該後端部を該収納凹部に着脱自在に固定する固定部とをもつ請求項６記載の瓦引抜き工具。
【請求項８】
裏面に下方に突出する爪を有する瓦を桟に釘打ちして葺き重ねた瓦屋根から引抜くべき瓦の下部から突出先端を有する棒状の打砕き部材を該瓦の裏面に沿って挿入し前記突出先端で該瓦の爪を砕く打砕き工程と、
前記瓦の下部から切断部材を該瓦の裏面に沿って挿入し該瓦を該桟に固定する瓦釘を該瓦の裏面側で切断する切断工程と、
からなることを特徴とする瓦の引抜き方法。
【請求項９】
前記切断工程の際に、前記打砕き部材を前記瓦の裏面に沿って挿入し、前記突出先端により前記瓦を上方に持ち上げた状態で、前記切断部材にて前記瓦釘を切断する請求項８に記載の瓦の引抜き方法。
【発明の詳細な説明】
【技術分野】
【０００１】
本発明は、瓦屋根から瓦を引き抜くための瓦引抜き工具及び瓦の引抜き方法に関するものである。
【背景技術】
【０００２】
瓦屋根は、複数の瓦をその一部を互いに重ね合わせて屋根葺きされている。各瓦は、それぞれ下地材に対して瓦釘により釘打ちされている。瓦釘は、風などにより瓦が下地材から浮くことを防止している。
【０００３】
瓦を引き抜くにあたっては、瓦を固定している瓦釘を切断しなければならない。かかる瓦釘の切断工具として、従来、特許文献１に示すように、鋸歯を瓦の裏面に沿って挿入し、瓦の下方に突出している瓦釘を切断するものがある。
【特許文献１】特開２００３−３１４０１６号公報
【発明の開示】
【発明が解決しようとする課題】
【０００４】
ところで、特許文献１は、スレート瓦を引き抜く技術である。スレート瓦は、セメント平板であり、瓦釘を切断すれば、そのまま引き抜くことができる。
【０００５】
しかし、和瓦や洋瓦などの焼き瓦は、スレート瓦とは異なり、後述する図５に示すように、下地材８２上に固定された桟８１に対して、釘打ちされている。瓦４２と桟８１との間は隙間がなく密着しており、切断工具を挿入することができない。しかも、瓦４２の裏面には、桟８１に瓦４２を係止するための爪４０が突出している。このため、爪４０が桟８１に引っかかり、瓦を引き抜くことはできない。それゆえ、従来、和瓦や洋瓦などの焼き瓦を屋根瓦から取り去るにあたっては、ハンマーなどで叩き割ることが多かった。
【０００６】
本発明は上記事情に鑑みてなされたもので、和瓦や洋瓦などの焼き瓦を叩き割ることなく、瓦屋根から容易に引き抜くことができる瓦引抜き工具及び瓦の引抜き方法を提供しようとするものである。
【課題を解決するための手段】
【０００７】
上記課題を解決する本発明の瓦引き抜き工具は、裏面に下方に突出する爪を有する瓦を桟に釘打ちして葺き重ねた瓦屋根から引抜くべき瓦の下部から該瓦の裏面に沿って挿入され先端で該瓦の爪を砕く突出先端を有する棒状の打砕き部材と、前記瓦の下部から該瓦の裏面に沿って挿入され該瓦を該桟に固定する瓦釘を該瓦の裏面側で切断する切断部材と、からなることを特徴とする。
【０００８】
上記瓦引き抜き工具は、下地材上に固定された桟に対して釘打ちされ桟に係止される爪をもつ瓦を、瓦屋根から引き抜く工具である。
【０００９】
上記瓦引き抜き工具は、瓦の裏面に突出し桟に係止されている爪を砕く打砕き部材と、瓦の裏面に突出し桟に対して打ち込まれている瓦釘を切断する切断部材とからなる。打砕き部材により爪が打ち砕かれ、瓦釘が切断されると、瓦の裏面は突出する部材がなくなる。したがって、瓦は、桟に邪魔されることなく、瓦屋根から引き抜くことができる。
【００１０】
上記瓦引き抜き工具において、打砕き部材は、瓦の裏面に突出している爪を打ち砕く部材である。打砕き部材は、突出先端を有する棒状本体部と該棒状本体部の後端部に設けられ該棒状本体部に対して突出先端の方向へ強圧を加える強圧部とからなることが好ましい。強圧部を叩き、突出先端に向けて棒状本体部に強圧を加えると、突出先端が、瓦の爪を打ち砕く。突出先端に向けて強圧を加えるにあたっては、たとえば、強圧部を突出先端の方向にハンマーにより強打する。この場合、強圧部は、上方に向けて傾斜していることが好ましい。これにより、ハンマーにより強打しやすくなる。
【００１１】
棒状本体部の後端部には把持部を設けていることが好ましい。把持部は、棒状本体部よりも上方に配設されていることが好ましい。これにより、把持部に手を掛けやすくなり、強圧を加えやすくなる。この場合、把持部と棒状本体部との間には、上方に延びる支持部を設けることが好ましい。
【００１２】
棒状本体部は、薄板で棒状に長い形状であることが好ましい。引き抜き対象の瓦の裏面には、僅かな隙間を挟んで、非引き抜き対象の瓦が存在する。このため、わずかな隙間に挿入しやすいように、棒状本体部の厚みは薄いことが好ましい。
【００１３】
打砕き部材の突出先端は棒状本体部と交差する方向に延びる平刃であることが好ましい。これにより、突出先端を瓦の裏面に挿入したときに平刃と瓦の爪とが当接する範囲が広く、打ち砕きやすくなる。
【００１４】
棒状本体部の突出先端は、棒状本体部の中央部の長手方向から上方に傾斜していることが好ましい。これにより、瓦の裏面に棒状本体部を挿入したときに、棒状本体部の突出先端が上方に向き、瓦の裏面と桟との間に突出先端を進入させやすくなる。
【００１５】
打ち抜き部材は、切断部材にて瓦釘を切断する際のスペーサとして用いることもできる。棒状本体部を瓦裏面に沿って瓦間の隙間に挿入した後に、棒状本体部の先端部を瓦の裏面と桟との間に圧入させて瓦を上方へ持ち上げる。この状態で、打砕き部材を保持して切断部材を瓦の裏面に挿入させて瓦釘を切断する。このとき、瓦と桟との間には上下方向に十分な間隙が保持されているため、切断部材の挿入がしやすく、また瓦釘の切断もスムーズに行うことができる。
【００１６】
切断部材は、瓦を桟に打ち付けている瓦釘を、瓦の裏面側で切断する部材である。
【００１７】
切断部材は先端部に金切り刃を有する棒状であることが好ましい。かかる金切り刃により、瓦釘を切断することができる。
【００１８】
切断部材は、棒状の本体部と、本体部の先端に固定された側面側に鋸状の金切り刃を有する帯鋼刃部とからなることが好ましい。本体部の側面側に鋸状の金切り刃を設けているため、本体部の長手方向に金切り刃を押し引きすることにより瓦釘を切断することができる。
【００１９】
切断部材の本体部の先端部は、帯鋼刃部の後端部を収納する収納凹部と、収納凹部に収納された帯鋼刃部の後端部を収納凹部に着脱自在に固定する固定部とをもつことが好ましい。これにより、帯鋼刃部を収納凹部から取り出しやすくなる。たとえば、帯鋼刃部を収納凹部から取り出し、帯鋼刃部を反転させることにより、帯鋼刃部の側面側に形成された金切り刃の向きを、左右逆転させて、再度収納凹部に収納することもできる。
【００２０】
本体部は、薄板で棒状に長い形状であることが好ましい。これにより、本体部を瓦の裏面の僅かな隙間に挿入しやすくなる。
【００２１】
瓦釘は、瓦に貫設された釘孔に挿通されるとともに桟に固定されることにより、桟から瓦が浮き上がることを抑えるものであり、たとえば、ねじ釘やボルトなどを例示できる。
【００２２】
上記課題を解決する本発明の瓦引き抜き方法は、裏面に下方に突出する爪を有する瓦を桟に釘打ちして葺き重ねた瓦屋根から引抜くべき瓦の下部から突出先端を有する棒状の打砕き部材を瓦の裏面に沿って挿入し突出先端で該瓦の爪を砕く打砕き工程と、瓦の下部から切断部材を瓦の裏面に沿って挿入し瓦を桟に固定する瓦釘を瓦の裏面側で切断する切断工程と、からなることを特徴とする。
【００２３】
上記瓦引き抜き方法によれば、切断部材により瓦の裏面に突出している瓦釘を切断する。打砕き部材により瓦の爪を砕く。これにより、瓦の裏面には突出する部材がなくなり、容易に引き抜くことができる。
【００２４】
本方法において、切断工程の際に、前記打砕き部材を前記瓦の裏面に沿って挿入し、前記突出先端により桟に対して前記瓦を上方に持ち上げた状態で、前記切断部材にて前記瓦釘を切断することが好ましい。これにより、切断部材を瓦の裏面に沿って進入させやすくなる。また、瓦の裏面と桟との間に隙間が確保されるため、金切り刃による瓦釘の切断も容易に行うことができる。
【００２５】
また、打抜き工程及び切断工程を行う際には、瓦の下部に楔を打ち込むことが好ましい。これにより、引き抜き対象の瓦の下部に、打ち抜き部材及び切断部材を進入させ得る隙間が形成される。
【００２６】
なお、爪を打ち砕く打砕き工程と、瓦釘を切断する切断工程は、いずれを先におこなってもよい。
【発明の効果】
【００２７】
本発明によれば、和瓦や洋瓦などの焼き瓦を叩き割ることなく、瓦屋根から容易に引き抜くことができる瓦引抜き工具及び瓦の引抜き方法を提供することができる。
【発明を実施するための最良の形態】
【００２８】
（実施形態例１）
本発明の実施形態について、図１〜図１０を参照しつつ具体的に説明する。
【００２９】
本例は、図５に示すように、複数の瓦４２が互いにその一部を重ね合わせて下地材８２の上に屋根葺きされた屋根瓦から瓦４２を引き抜く瓦引き抜き工具とその引き抜き方法である。瓦４２は、図４、図５、図８に示すように、その裏面の下方に突出し桟８１に係止されている爪４０と、瓦４２の表面４２ｆから裏面４２ｂに貫通する釘孔４３とを有する。爪４０は、瓦４２の上部４２２の裏面４２ｂに２つ設けられている。瓦釘孔４３には、瓦浮上防止用の瓦釘３が挿入されて、桟８１に対して打ち付けられている。図４に示す瓦４２は、和瓦で、上方に隆起するように湾曲している。
【００３０】
図１、図５、図７に示すように、瓦引き抜き工具は、引き抜くべき瓦４２の爪４０を打ち砕く棒状の打ち砕き部材１と、瓦４２の裏面４２ｂにおいて瓦釘３を切断する切断部材２とからなる。
【００３１】
図１（ａ）、図５に示すように、打砕き部材１は、引抜くべき瓦４２の下部４２１から瓦４２の裏面４２ｂに沿って挿入される棒状本体部１２と、棒状本体部１２の後端部１３に設けられた把持部１６とからなる。棒状本体部１２は、瓦の爪４０を砕く突出先端１０を有する。棒状本体部１２の突出先端１０は、先端に向けて厚みを薄くする傾斜部１１１をもつ。これは、突出先端１０が瓦と桟との間に進入しやすくするためである。図２に示すように、打砕き部材１の突出先端１０は棒状本体部１２と交差する方向に延びる平刃１１を有する。平刃の幅Ｈは、図２（ａ）に示すように、突出先端１０の幅ｈよりも大きいか、または図２（ｂ）に示すように、突出先端１０の幅ｈと同じである。棒状本体部１２は、薄板状の長尺体であり、瓦４２の長さよりも長い。棒状本体部１２は、瓦４２の裏面４２ｂの下部４２１から挿入して上部４２２の爪４０に到達し得る。図１に示すように、棒状本体部１２の突出先端１０は、棒状本体部１２の中央部１２０の長手方向から傾斜角度αで上方に向けて傾斜している。これは、棒状本体部１２が瓦４２の裏面４２ｂに沿って進入させ、瓦４２と桟８１との間の隙間７２に突出先端１０を進入させやすくするためである。また、棒状本体部１２の後端部１３も、中央部１２０の長手方向から傾斜角度Βで上方に傾斜している。これは、後端部１３に固定された強圧部１４を棒状本体部１２の中央部１２０に対して上方に傾斜角度βで傾斜させて、ハンマー１９で強打しやすくするためである。
【００３２】
棒状本体部１２の後端部１３には、３の後端部１３に固定された強圧部１４と、強圧部１４から上方に立設された支持部１５と支持部１５に固定された把持部１６とを有する。把持部１６は、棒状本体部１２の後端部１３と平行に支持部１５から後方に突出している。強圧部１４は棒状本体部１２の後端部１３に対してビスまたは溶接により一体的に固定されている。把持部１６は円柱状であり、使用者の手で握りやすい太さである。また、強圧部１４も円柱状であり、把持部１６よりも長く後方に突出している。これは、瓦４２の爪４０を打砕く際に、強圧部１４の後端部１４１をハンマー１９で強打しやすくするためである。把持部１６は、使用者の手が滑ることを防止するためにゴムまたはプラスチックの滑り止め材１６０により被覆されている。
【００３３】
図１（ｂ）、図３に示すように、切断部材２は、棒状の本体部２２と、本体部２２の先端部２２０に固定された側面側に鋸状の金切り刃２１を有する帯鋼刃部２０と、本体部２２の後端部２２９に固定された把持部５３、５４とからなる。本体部２２の先端部２２０は、帯鋼刃部２０の後端部２０９を収納する収納凹部２５と、帯鋼刃部２０の後端部２０９を収納凹部２５に着脱自在に固定する固定部であるビス２７をもつ。収納凹部２５は、長尺状の平板部材２６と、平板部材２６と本体部２２との間に帯鋼刃部２０を収納する収納凹部２５を形成する一対の細長い中間部材２８とからなる。平板部材２６には、収納凹部２５に開口するビス孔２６１が形成されている。平板部材２６及び中間部材２８は、本体部２２に対して溶接部２５２においてスポット溶接にて一体的に接合されている。平板部材２６に形成されたビス孔２６１に、図３（ｄ）に示すビス２７の脚部２７１を嵌め込み、脚部２７１により収納凹部２５の中に収納されている帯鋼刃部２０を押圧して拘束している。帯鋼刃部２０を取り外す際には、ビス２７をビス孔２６１から抜き取る。
【００３４】
本体部２２及び帯鋼刃部２０は、薄板状の長尺体である。図５に示すように、本体部２２と本体部２２に固定された帯鋼刃部２０とをあわせた長さは、瓦４２の下部４２１から挿入して上部４２２付近に突出している瓦釘３に到達し得る長さである。
【００３５】
図１，図３に示すように、切断部材２の本体部２２の後端部２２９には把持部５３，５４が固定されている。一方の把持部５３は、他方の把持部５４よりも後方に配置されている。把持部５３は、本体部２２の両側方向に延設されており、把持部５４は本体部２２から上方に立設している。本体部２２と把持部５３，５４とは、本体部２２に対して固定部５１により一体的に固定されている。把持部５３は、固定部５１から立設された支持部５５により支持されている。把持部５４は固定部５１から垂直に立設されている。把持部５３，５４は、ゴムまたはプラスチックからなる滑り防止材５３１，５４１により被覆されている。把持部５３は、きき手で保持される。把持部５４はきき手と反対の手で把持される。例えば、切断部材２を瓦の裏面に沿って挿入させるとき、瓦釘を切断するときには、片手で把持部５３を持つ。切断部材２の向きを調整するときには、把持部５３を一方の手で把持し、把持部５４を他方の手で把持する。
【００３６】
上記瓦引き抜き工具を用いて瓦を引き抜くにあたっては、まず、図５に示すように、瓦４２の下部４２１の裏面４２ｂに楔８を打ち込み、瓦４２の裏面４２ｂの下部４２１に打砕き部材及び切断部材を挿入し得る隙間７１を確保する。次に、図５、図６に示すように、打砕き部材１の把持部１６を片手で把持し、引抜くべき瓦４２の下部４２１から瓦４２の裏面４２ｂに沿って挿入する。そして、瓦４２と、下地材８２の上に固定されている桟８１との間に打砕き部材１の突出先端１０を圧入する。ここで、棒状本体部１２の突出先端１０が上方に傾斜して、突出先端１０が瓦４２の裏面４２ｂと桟８１との間に圧入しやすい形状となっている。さらに、打ち砕き部材１を瓦４２の裏面４２ｂに当接させ、把持部１６を下方に押す。すると、打砕き部材１の突出先端１０が上方に傾斜し、突出先端１０が瓦４２を持ち上げる。これにより、瓦４２と桟８１との間に若干の隙間７２が形成される。そして、その隙間７２に打砕き部材１の突出先端１０を挿入する。突出先端１０を、桟８１に係止されている瓦４２の爪４０に当接させる。そして、打砕き部材１の強圧部１４の後端部１４１をハンマー１９により強打し、強圧部１４を固定している棒状本体部１の後端部１３を突出先端１０に向けて強圧する。これにより、突出先端１０の平刃１１により、瓦４２の下方に突出する爪４０が打ち砕かれる。
【００３７】
次に、図７、図８に示すように、打ち砕き部材１の突出先端１０を、瓦４２の裏面４２ｂと桟８１との間に保持した状態を維持し、その間の隙間７２を確保する。切断部材２の把持部５３を片手でもち、この隙間７２に、その本体部２２及び帯鋼刃部２０を瓦４２の裏面４２ｂに沿って挿入する。切断部材２の金切り刃２１を瓦釘３の脚部３１に当接させ、押し引きして、瓦釘３を切断する。切断部材２は、爪４０が砕かれた瓦４２の下部から瓦４２の裏面４２ｂに沿って挿入され、瓦４２を桟８１に固定する瓦釘３の脚部３１を瓦４２の裏面４２ｂの側で切断する。その後、瓦４２を下方に引き抜く。
【００３８】
瓦４２には２つの爪４０が突出しているが、まず１つを最初に打ち砕き、瓦釘を切断した後に、もうひとつの爪を打ち砕いても良い。また、最初に２つの爪を打ち砕き、その後に瓦釘を切断してもよい。逆に、瓦釘を先に切断し、その後に２つの爪を打ち砕いても良い。いずれの場合にも、桟と瓦の裏面との間は釘打ちされて密着しているため、先に、打砕き部材を、瓦の裏面と桟との間に挿入して隙間を確保しておくことが好ましい。これにより、瓦の裏面と桟との間に隙間が確保されるため、打砕き部材による爪の打砕き作業及び切断部材による瓦釘の切断作業を容易に行うことができる。
【００３９】
また、図９、図１０に洋瓦を引抜く方法を示した。洋瓦は、概ね平坦な形状であり、その中央部において下の瓦の重なり部を覆っている。まず、図９（ａ）に示すように、ハンマーなどで楔８を強打して引き抜くべき瓦４２の下部４２１の裏面４２ｂに楔８を打ち込み、瓦４２の裏面に隙間７１を形成する。次に、図９（ｂ）、図５に示すように、打砕き部材１を瓦の下部４２１から裏面４２ｂに沿って瓦間の隙間７１に挿入する。和瓦と同様に打砕き部材の突出先端で瓦の裏面と桟との間に隙間７２を形成し、その後打砕き部材における固定部の後端部をハンマーで強打して、平刃で瓦の爪を打砕く。次に、図９（ｃ）、図７に示すように、打砕き部材１の突出先端１０で瓦４２の裏面４２ｂと桟との間の隙間７２を確保しながら、その隙間７２に切断部材２の帯鋼刃部２０を挿入し金切り刃２１にて瓦釘３を切断する。次に、図１０（ａ）に示すように、切断部材２を瓦の裏面から抜き去る。そして、打砕き部材１にて、もう一つの爪を打ち砕く。このとき、楔８が打砕き部材の爪を打砕く作業の支障になるときには、楔８の位置を変えても良い。次に、図１０（ｂ）に示すように、楔及び打砕き部材を取り去り、瓦を下方へ抜き去る。このとき、爪がうち砕かれ、瓦釘が切断されているため、瓦は容易に引き去ることができる。洋瓦は、図４に示した和瓦よりも、瓦間の隙間７１や、瓦と桟との隙間７２が狭い。本例の瓦引き抜き方法によれば、打砕き部材で引き抜き対象の瓦を上方に持ち上げて、瓦の裏面に隙間を形成することができる。このため、打砕き部材による爪の打砕き、及び切断部材による瓦釘の切断を容易に行うことができる。
【００４０】
本例においては、瓦引き抜き工具が、爪４０を砕く打砕き部材１と、瓦４２の裏面４２ｂに突出している瓦釘３を切断する切断部材２とからなる。爪４０が砕かれ、瓦釘３が切断されると、瓦４２の裏面４２ｂは突出する部材がなくなる。したがって、和瓦や洋瓦などの焼き瓦を叩き割ることなく、瓦屋根から容易に引き抜くことができる。
【００４１】
なお、図１（ｂ）、図３に示す切断部材に代えて、図１１に示す切断部材を用いてもよい。図１１に示す切断部材は、把持部２３が、上方に傾斜する支持部２４により本体部２２と一体的に固定されている。支持部２４は、本体部２２の後端部２２９に対して溶接またはビスにて固定されている。本体部２２の裏面には平板部材２６との間に帯鋼刃部２０を収納する収納部２５１が設けられている。本体部２２と平板部材２６は、ビス孔２８，２９をもち、帯鋼刃部２０を挟持した状態でビスにて固定されている。切断部材２により瓦釘を切断するにあたっては、片手で把持部２３を把持し、瓦間の隙間に挿入する。
【図面の簡単な説明】
【００４２】
【図１】実施形態例１における打砕き部材の側面図（ａ）、及び切断部材の側面図（ｂ）である。
【図２】実施形態例１における打ち抜き部材の突出先端の平面図であって、図２（ａ）は金切り刃の幅が突出先端の幅よりも大きい場合、（ｂ）は金切り刃の幅と突出先端の幅とが同じ場合を示す。
【図３】実施形態例１における切断部材の平面図（ａ）、（ａ）のＡ―Ａ線断面図（ｂ）、収納凹部の平面図（ｃ）、ビスの側面図（ｄ）である。
【図４】実施形態例１における和瓦を裏面側から視認した図（ａ）、及び表面側から視認した図（ｂ）である。
【図５】実施形態例１における、打ち抜き部材で爪を打ち砕く方法を示すための屋根瓦の断面説明図である。
【図６】実施形態例１における瓦の爪を打ち砕く方法を示す瓦の爪の斜視図である。
【図７】実施形態例１における切断部材で瓦釘を切断する方法を示すための瓦の平面図（ａ）及びその断面図（ｂ）である。
【図８】実施形態例１における切断部材で瓦釘を切断する方法を示すための屋根瓦の断面説明図である。
【図９】実施形態例１における洋瓦の引き抜き方法を示す説明図（ａ）〜（ｃ）である。
【図１０】図９に続く洋瓦の引き抜き方法を示す説明図（ａ）、（ｂ）である。
【図１１】他の切断部材の側面図（ａ）、および切断部材の分解図（ｂ）である。
【符号の説明】
【００４３】
図中、１は打砕き部材、１０は突出先端、１１は平刃、１２は棒状本体部、１３は後端部、１６は把持部、２は切断部材、２０は帯鋼刃部、２１は金切り刃、２２は本体部、２３、５３，５４は把持部、２５は収納凹部、３は瓦釘、４０は爪、４２は瓦、８１は桟を示す。
【図１】
2007255077.tif 000003
【図２】
2007255077.tif 000004
【図３】
2007255077.tif 000005
【図４】
2007255077.tif 000006
【図５】
2007255077.tif 000007
【図６】
2007255077.tif 000008
【図７】
2007255077.tif 000009
【図８】
2007255077.tif 000010
【図９】
2007255077.tif 000011
【図１０】
2007255077.tif 000012
【図１１】
2007255077.tif 000013